(57)【要約】【課題】安定した電気ノイズの低減効果を得る。【解決手段】モータの給電装置２０は、一対の３端子コンデンサ４０と、モータ本体の回転子と一体に回転する整流子と摺動する一対のブラシ３２、３４と、外部電源が接続されるプラス側ターミナル３６及びマイナス側ターミナル３８と、を備えている。プラス側ターミナル３６と一方のブラシ３２とが、一方の３端子コンデンサ４０の第１導電部を介して接続され、マイナス側ターミナル３８と他方のブラシ３４とが、他方の３端子コンデンサ４２の第１導電部を介して接続されている。また、一方の３端子コンデンサ４０の他方の３端子コンデンサ４２に対する相対変位が規制されている。【選択図】図８
2018198474.tif 000002
【特許請求の範囲】
【請求項１】
直列に配置された第１インダクタンス部及び第２インダクタンス部を有する第１導電部と、コンデンサ部を有しかつ一端部が前記第１導電部における前記第１インダクタンス部と前記第２インダクタンス部との間に接続された第２導電部と、第３インダクタンス部を有しかつ前記第２導電部の他端部とグランドとをつなぐ第３導電部と、を有する一対の３端子コンデンサと、
モータ本体の回転子と一体に回転する整流子と摺動する一対のブラシと、
外部電源が接続されるプラス側ターミナル及びマイナス側ターミナルと、
を備え、
前記プラス側ターミナルと一方の前記ブラシとが、一方の前記３端子コンデンサの前記第１導電部を介して接続され、
前記マイナス側ターミナルと他方の前記ブラシとが、他方の前記３端子コンデンサの前記第１導電部を介して接続され、
一方の前記３端子コンデンサの他方の前記３端子コンデンサに対する相対変位が規制されているモータの給電装置。
【請求項２】
一方の前記ブラシと他方の前記ブラシとが、前記回転子の回転周方向へ不等間隔に配置されており、
一対の前記３端子コンデンサが、一方の前記ブラシと他方の前記ブラシとの間における前記回転子の回転周方向への間隔が狭い側に配置されている請求項１記載のモータの給電装置。
【請求項３】
前記プラス側ターミナル及び前記マイナス側ターミナルにおいて前記外部電源が接続される部分が、一方の前記ブラシと他方の前記ブラシとの間における前記回転子の回転周方向への間隔が広い側に配置されている請求項２記載のモータの給電装置。
【請求項４】
前記一対の３端子コンデンサが一体に形成されている請求項１〜請求項３のいずれか１項に記載のモータの給電装置。
【請求項５】
一対の前記３端子コンデンサの前記第１導電部には、コイル部が形成されており、
一方の前記３端子コンデンサの前記第１導電部に形成された前記コイル部と他方の前記３端子コンデンサの前記第１導電部に形成された前記コイル部とが、両コイル部の軸方向に向かい合って配置されている請求項１〜請求項４のいずれか１項に記載のモータの給電装置。
【請求項６】
一方の前記３端子コンデンサの前記第１導電部に形成された前記コイル部及び他方の前記３端子コンデンサの前記第１導電部に形成された前記コイル部の内部に芯部材が挿入されている請求項５記載のモータの給電装置。
【請求項７】
一方の前記３端子コンデンサの前記第３導電部及び他方の前記３端子コンデンサの前記第３導電部が、互いに同じ位置で前記グランドに接続されている請求項１〜請求項６のいずれか１項に記載のモータの給電装置。
【請求項８】
回転子及び固定子を有するモータ本体と、
前記外部電源と前記モータ本体との間に設けられた請求項１〜請求項３のいずれか１項に記載のモータの給電装置と、
を備えたモータ。
【請求項９】
前記固定子は、内部に前記回転子が配置されると共に前記モータの給電装置が取付けられたヨークを備えており、
前記第３導電部が、前記ヨークに接地されている請求項８記載のモータ。
【発明の詳細な説明】
【技術分野】
【０００１】
本発明は、モータの給電装置及びモータに関する。
【背景技術】
【０００２】
下記特許文献１には、電気ノイズを低減することを可能としたフィルタ回路が開示されており、このフィルタ回路は、５次のＴ型ＬＣフィルタ回路である。
【先行技術文献】
【特許文献】
【０００３】
【特許文献１】国際公開第２０１１／１５５２３８号
【発明の概要】
【発明が解決しようとする課題】
【０００４】
しかしながら、上記特許文献１に記載されたフィルタ回路では、当該フィルタ回路を構成する回路素子の位置等のバラつきによって、電気ノイズの低減効果にバラつきが生じることが考えられる。
【０００５】
本発明は上記事実を考慮し、安定した電気ノイズの低減効果を得ることができるモータの給電装置及びモータを得ることが目的である。
【課題を解決するための手段】
【０００６】
請求項１記載のモータの給電装置は、直列に配置された第１インダクタンス部及び第２インダクタンス部を有する第１導電部と、コンデンサ部を有しかつ一端部が前記第１導電部における前記第１インダクタンス部と前記第２インダクタンス部との間に接続された第２導電部と、第３インダクタンス部を有しかつ前記第２導電部の他端部とグランドとをつなぐ第３導電部と、を有する一対の３端子コンデンサと、モータ本体の回転子と一体に回転する整流子と摺動する一対のブラシと、外部電源が接続されるプラス側ターミナル及びマイナス側ターミナルと、を備え、前記プラス側ターミナルと一方の前記ブラシとが、一方の前記３端子コンデンサの前記第１導電部を介して接続され、前記マイナス側ターミナルと他方の前記ブラシとが、他方の前記３端子コンデンサの前記第１導電部を介して接続され、一方の前記３端子コンデンサの他方の前記３端子コンデンサに対する相対変位が規制されている。
【０００７】
請求項１記載のモータの給電装置によれば、外部電源によってプラス側ターミナルとマイナス側ターミナル間に電圧が印加されると、電流がプラス側ターミナルから一方の３端子コンデンサの第１導電部を介して一方のブラシへ流れる。また、一方のブラシから整流子を通じてモータ本体内を流れた電流は、整流子から他方のブラシ及び他方の３端子コンデンサの第１導電部を介してマイナス側ターミナルへ流れる。これにより、モータ本体の回転子を回転させることができる。ここで、請求項１記載のモータの給電装置によれば、一対の３端子コンデンサの第１導電部を流れる電流のうち、第２導電部のコンデンサ部の静電容量や抵抗及びインダクタンスの成分並びに第３導電部の第３インダクタンス部のインダクタンスの成分に対応する周波数の電流が、当該第２導電部及び第３導電部を通じてグランドに流れる。これにより、電気ノイズを低減することができる。また、請求項１記載のモータの給電装置では、一方の３端子コンデンサの他方の３端子コンデンサに対する相対変位が規制されている。これにより、一対の３端子コンデンサによって安定した電気ノイズの低減効果を得ることができる。
【０００８】
請求項２記載のモータの給電装置は、請求項１記載のモータの給電装置において、一方の前記ブラシと他方の前記ブラシとが、前記回転子の回転周方向へ不等間隔に配置されており、一対の前記３端子コンデンサが、一方の前記ブラシと他方の前記ブラシとの間における前記回転子の回転周方向への間隔が狭い側に配置されている。
【０００９】
請求項２記載のモータの給電装置によれば、一対の３端子コンデンサを上記の位置に配置することにより、電気ノイズの発生源となる一対のブラシと３端子コンデンサとをより近接して配置することができる。これにより、電気ノイズをより一層低減することができる。
【００１０】
請求項３記載のモータの給電装置は、請求項２記載のモータの給電装置において、前記プラス側ターミナル及び前記マイナス側ターミナルにおいて前記外部電源が接続される部分が、一方の前記ブラシと他方の前記ブラシとの間における前記回転子の回転周方向への間隔が広い側に配置されている。
【００１１】
請求項３記載のモータの給電装置によれば、プラス側ターミナル及びマイナス側ターミナルにおいて外部電源が接続される部分が上記の位置に配置されている。これにより、プラス側ターミナルにおいて外部電源が接続される部分と一方の３端子コンデンサに接続される部分との間の部位及びマイナス側ターミナルにおいて外部電源が接続される部分と他方の３端子コンデンサに接続される部分との間の部位の配索が、一対の３端子コンデンサによって制限される（制約される）ことを抑制することができる。
【００１２】
請求項４記載のモータの給電装置は、請求項１〜請求項３のいずれか１項に記載のモータの給電装置において、前記一対の３端子コンデンサが一体に形成されている。
【００１３】
請求項４記載のモータの給電装置によれば、一対の３端子コンデンサが一体に形成されていることにより、一方の３端子コンデンサの他方の３端子コンデンサに対する相対変位を確実に規制することができる。これにより、一対の３端子コンデンサによって安定した電気ノイズの低減効果を得ることができる。
【００１４】
請求項５記載のモータの給電装置は、請求項１〜請求項４のいずれか１項に記載のモータの給電装置において、一対の前記３端子コンデンサの前記第１導電部には、コイル部が形成されており、一方の前記３端子コンデンサの前記第１導電部に形成された前記コイル部と他方の前記３端子コンデンサの前記第１導電部に形成された前記コイル部とが、両コイル部の軸方向に向かい合って配置されている。
【００１５】
請求項５記載のモータの給電装置によれば、一方の３端子コンデンサの第１導電部に形成されたコイル部と他方の３端子コンデンサの第１導電部に形成されたコイル部とが、両コイル部の軸方向に向かい合って配置されている。これにより、一方の３端子コンデンサのコイル部から出た磁力線と他方の３端子コンデンサのコイル部から出た磁力線とを干渉させることができる。これにより、一対の３端子コンデンサの第１導電部内の電気ノイズを低減することができる。
【００１６】
請求項６記載のモータの給電装置は、請求項５記載のモータの給電装置において、一方の前記３端子コンデンサの前記第１導電部に形成された前記コイル部及び他方の前記３端子コンデンサの前記第１導電部に形成された前記コイル部の内部に芯部材が挿入されている。
【００１７】
請求項６記載のモータの給電装置によれば、一方の３端子コンデンサの第１導電部に形成されたコイル部及び他方の３端子コンデンサの第１導電部に形成されたコイル部の内部に芯部材が挿入されている。これにより、一方の３端子コンデンサのコイル部の他方の３端子コンデンサのコイル部に対する姿勢を安定させることができる。その結果、一対の３端子コンデンサの第１導電部内の電気ノイズを安定して低減することができる。
【００１８】
請求項７記載のモータの給電装置は、請求項１〜請求項６のいずれか１項に記載のモータの給電装置において、一方の前記３端子コンデンサの前記第３導電部及び他方の前記３端子コンデンサの前記第３導電部が、互いに同じ位置で前記グランドに接続されている。
【００１９】
請求項７記載のモータの給電装置によれば、一方の３端子コンデンサの第３導電部及び他方の３端子コンデンサの第３導電部が、互いに同じ位置でグランドに接続されている。これにより、モータの給電装置の回路内の電気ノイズの大部分を当該回路内で巡回させることができる。これにより、電気ノイズがモータの給電装置の回路から放出されることを抑制することができる。
【００２０】
請求項８記載のモータは、回転子及び固定子を有するモータ本体と、前記外部電源と前記モータ本体との間に設けられた請求項１〜請求項３のいずれか１項に記載のモータの給電装置と、を備えている。
【００２１】
請求項８記載のモータによれば、請求項１〜請求項３のいずれか１項に記載のモータの給電装置を含んで構成されていることにより、安定した電気ノイズの低減効果を得ることができる。
【００２２】
請求項９記載のモータは、請求項８記載のモータにおいて、前記固定子は、内部に前記回転子が配置されると共に前記モータの給電装置が取付けられたヨークを備えており、前記第３導電部が、前記ヨークに接地されている。
【００２３】
請求項９記載のモータによれば、第３導電部がヨークに接地される構成とすることにより、第３導電部の長さが長くなることを抑制することができる。これにより、電気ノイズをより一層低減することができる。
【図面の簡単な説明】
【００２４】
【図１】本実施形態のモータを示す側面図である。
【図２】給電装置を示す斜視図である。
【図３】給電装置を示す平面図である。
【図４】一体化された一対の３端子コンデンサを示す斜視図である。
【図５】３端子コンデンサを模式的に示す側面図である。
【図６】３端子コンデンサの回路を示す回路図である。
【図７】グランドターミナルが取付けられた給電装置を示す図２に対応する斜視図である。
【図８】グランドターミナルが取付けられた給電装置を示す図３に対応する斜視図である。
【図９】グランドターミナルを示す斜視図である。
【図１０】一対の３端子コンデンサの各々のコイル部に芯部材が挿入された状態を示す側面図である。
【図１１】一対の３端子コンデンサの各々のコイル部に芯部材が挿入された状態を示す斜視図である。
【図１２】芯部材を備えていると共に一体化された一対の３端子コンデンサを模式的に示す側面図である。
【図１３】３端子コンデンサを示す側面図である。
【図１４】他の形態のグランドターミナルにグランド線が接合された一対の３端子コンデンサを示す斜視図である。
【図１５】図１４に示された一対の３端子コンデンサがブラシホルダに取付けられた状態を示す平面図である。
【図１６】他の形態のグランドターミナルにグランド線が接合されていると共に当該グランドターミナルに支持された一対の３端子コンデンサを示す斜視図である。
【図１７】図１６に示された一対の３端子コンデンサがブラシホルダに取付けられた状態を示す平面図である。
【発明を実施するための形態】
【００２５】
次に、図１〜図９を用いて本発明の実施形態に係るモータの給電装置及びモータについて説明する。なお、図中に適宜示す矢印Ｚ方向、矢印Ｒ方向及び矢印Ｃ方向は、モータの回転軸（回転子）の回転軸方向、回転径方向及び回転周方向をそれぞれ示すものとする。また以下、単に軸方向、径方向、周方向を示す場合は、特に断りのない限り、回転軸（回転子）の回転軸方向、回転径方向、回転周方向を示すものとする。
【００２６】
図１に示されるように、本実施形態のモータ１０は、パワーシート等に用いられる直流モータである。このモータ１０は、当該モータ１０の外郭の一部を構成するヨーク１２を備えた固定子１４と、固定子１４の内側に配置された回転子１６と、を含んで構成されたモータ本体１８を備えている。また、モータ１０は、モータ本体１８に給電するためのモータの給電装置２０（以下単に「給電装置２０」というものとする）を備えている。
【００２７】
（固定子１４の構成）
固定子１４は、軸方向一方側（矢印Ｚ方向側）が開放されていると共に軸方向他方側が閉止された有底円筒状のヨーク１２と、このヨーク１２の内周面に固定されたマグネット２２と、を含んで構成されている。ヨーク１２は、金属板にプレス加工等が施されることによって形成されている。このヨーク１２は、筒状に形成されていると共に径方向内側の面にマグネット２２が固定された筒状部１２Ａと、当該筒状部１２Ａの軸方向他方側の端部を閉止すると共に回転軸２４の軸方向他方側の端部を支持する軸受が固定された底壁部１２Ｂと、を備えている。また、筒状部１２Ａの開放端側には、後述するブラシホルダ３０がかしめ等により取付けられるようになっている。
【００２８】
（回転子１６の構成）
回転子１６は、棒状に形成された回転軸２４と、回転軸２４の軸方向他方側の部位に固定された回転子コア２６と、回転軸２４において回転子コア２６が固定された部位よりも軸方向一方側に固定された整流子２８と、を含んで構成されている。回転軸２４において後述するブラシホルダ３０と径方向に対向する部位は、当該ブラシホルダ３０に軸受を介して回転自在に支持されている。そして、回転軸２４の軸方向一方側の端部には、パワーシート等を作動させる作動機構と連結するための連結部材２９が取付けられている。
【００２９】
回転子コア２６は、ヨーク１２の筒状部１２Ａの径方向内側に配置されている。また、回転子コア２６は、径方向に延びると共に周方向に沿って間隔を空けて配置された複数のティース部を備えている。そして、導電性の巻線が複数のティースの回りに巻回されることによって、当該ティースの回りにはコイルが形成されている。
【００３０】
整流子２８は、周方向に沿って配列された複数の整流子片２８Ａを有しており、整流子片２８Ａは整流子２８の外周面に同心状に配列されている。また、整流子２８の各整流子片２８Ａは、隣接する整流子片２８Ａ同士が電気的に絶縁された状態で固定されている。そして、各整流子片２８Ａには、前述のコイルを形成する巻線の端末部が電気的に接続されている。そして、後述する一対のブラシ３２、３４（図２参照）が、整流子２８の各整流子片２８Ａと摺動することで、各々のコイル部に流れる電流が切替えられるようになっている。
【００３１】
（給電装置２０の構成）
図１及び図２に示されるように、給電装置２０は、ブラシホルダ３０と、ブラシホルダ３０に支持された一対のブラシ３２、３４と、ブラシホルダ３０に支持されていると共に外部電源が接続されるプラス側ターミナル３６及びマイナス側ターミナル３８と、を備えている。また、給電装置２０は、ブラシホルダ３０に支持されていると共に、一対のブラシ３２、３４とプラス側ターミナル３６及びマイナス側ターミナル３８とを繋ぐ一対の３端子コンデンサ４０、４２と、を備えている。
【００３２】
図２及び図３に示されるように、ブラシホルダ３０は、樹脂等の絶縁性の材料を用いて形成されている。このブラシホルダ３０は、回転軸２４（図１参照）が挿入される貫通孔３０Ａを備えており、また貫通孔３０Ａの内周部には、回転軸２４を支持する図示しない軸受が固定されている。また、ブラシホルダ３０は、一対のブラシ３２、３４がそれぞれ収容されると共に当該一対のブラシ３２、３４を径方向に移動可能に支持する一対のブラシ格納部３０Ｂ、３０Ｃを備えている。このブラシ格納部３０Ｂ、３０Ｃ内に配置された一対のブラシ３２、３４が図示しないスプリングによって径方向内側に向けて付勢されることで、一対のブラシ３２、３４における径方向内側の面が整流子２８（図１参照）に押し付けられるようになっている。また、本実施形態では、一方のブラシ格納部３０Ｂが他方のブラシ格納部３０Ｃに対して周方向へ９０°ずらした位置に配置されている。これにより、一方のブラシ３２の移動方向と他方のブラシ３４の移動方向とのなす角度が９０°となっている。また、一方のブラシ格納部３０Ｂと他方のブラシ格納部３０Ｃとの間において、両者の周方向への間隔が狭い側には、後述する一対の３端子コンデンサ４０、４２が固定されるコンデンサ固定部３０Ｄが形成されている。
【００３３】
プラス側ターミナル３６及びマイナス側ターミナル３８は、所定の形状とされた導電性の板状の素材が折り曲げられること等により形成されている。これらプラス側ターミナル３６及びマイナス側ターミナル３８は、一対のブラシ３２、３４に対して後述する一対の３端子コンデンサ４０、４２が配置された側とは反対側に配置された状態で（一方のブラシ格納部３０Ｂと他方のブラシ格納部３０Ｃとの間において、両者の周方向への間隔が広い側に配置された状態で）、ブラシホルダ３０に支持（固定）されている。
【００３４】
図４に示されるように、本実施形態の一対の３端子コンデンサ４０、４２は、その一部が絶縁性の部材４４で覆われることによって一体に構成されている。なお、絶縁性の部材４４は、３端子コンデンサ４０、４２の一部に含まれるものとする。
【００３５】
図５には、絶縁性の部材４４で覆われる前の一方の３端子コンデンサ４０の側面図が示されている。この図に示されるように、３端子コンデンサ４０は、導電性の線状の部材である第１線材４６及び第２線材４８と、コンデンサ部としてのチップコンデンサ５０と、を含んで構成されている。第１線材４６の長手方向の中央部には、当該第１線材４６の一部がループ状に巻回されることによってコイル部５２が形成されている。また、第１線材４６の一方側の端部４６Ａ及び他方側の端部４６Ｂは、コイル部５２に対して略同一方向に延在している。また、コイル部５２の中央部には、チップコンデンサ５０を介して第２線材４８が接合されている。また、第２線材４８は、コイル部５２に対して第１線材４６の一方側の端部４６Ａ及び他方側の端部４６Ｂと略同一方向に延在している。そして、コイル部５２及びチップコンデンサ５０の周縁部が、絶縁性の部材４４で覆われる（絶縁性の部材４４にモールドされる）ことによって、３端子コンデンサ４０が形成されている。なお、３端子コンデンサ４０の一部を構成する第１線材４６において絶縁性の部材４４から延出している部分（一方側の端部４６Ａ及び他方側の端部４６Ｂ）をそれぞれ第１信号線５４及び第２信号線５６というものとする。また、３端子コンデンサ４０の他の一部を構成する第２線材４８において絶縁性の部材４４から延出している部分をグランド線５８というものとする。なお、他方の３端子コンデンサ４２は、一方の３端子コンデンサ４０と同様に構成されている。そのため、他方の３端子コンデンサ４２において一方の３端子コンデンサ４０と対応する部分には、一方の３端子コンデンサ４０と対応する部分と同一の符号を付してその説明を省略する。
【００３６】
図４及び図５に示されるように、本実施形態では、一方の３端子コンデンサ４０を構成する第１線材４６のコイル部５２と他方の３端子コンデンサ４２を構成する第１線材４６のコイル部５２とが、両コイル部５２の軸方向に向かい合って配置された状態で、絶縁性の部材４４を介して一体化されている。
【００３７】
図６には、以上説明した３端子コンデンサ４０（３端子コンデンサ４２）の回路図が示されている。この図に示されるように、３端子コンデンサ４０において第１線材４６によって構成されている部分を、直列に配置された第１インダクタンス部Ｌ１及び第２インダクタンス部Ｌ２を有する第１導電部Ｄ１というものとする。また、３端子コンデンサ４０においてチップコンデンサ５０によって構成されている部分を、一端部が第１導電部Ｄ１における第１インダクタンス部Ｌ１と第２インダクタンス部Ｌ２との間に接続された第２導電部Ｄ２というものとする。なお、チップコンデンサ５０には、抵抗やインダクタンス成分が存在しているため、本回路図においては、この抵抗やインダクタンス成分を回路図記号で示している。さらに、３端子コンデンサ４０において第２線材４８によって構成されている部分を、第３インダクタンス部Ｌ３を有しかつ第２導電部Ｄ２の他端部に繋がれた第３導電部Ｄ３というものとする。なお、本実施形態の３端子コンデンサ４０（３端子コンデンサ４２）では、第１信号線５４、第２信号線５６及びグランド線５８の長さが変化することで、第１インダクタンス部Ｌ１、第２インダクタンス部Ｌ２及び第３インダクタンス部Ｌ３のそれぞれのインダクタンスが変化するようになっている。
【００３８】
図７及び図８に示されるように、以上説明した一対の３端子コンデンサ４０、４２は、ブラシホルダ３０のコンデンサ固定部３０Ｄに絶縁性の部材４４が差し込まれることで固定されている。
【００３９】
そして、図８において配線経路が二点鎖線で模式的に示されるように、一方の３端子コンデンサ４０の第１信号線５４及び第２信号線５６は、プラス側ターミナル３６及び一方のブラシ３２にそれぞれ接続されている。また、他方の３端子コンデンサ４２の第１信号線５４及び第２信号線５６は、マイナス側ターミナル３８及び他方のブラシ３４にそれぞれ接続されている。さらに、一対の３端子コンデンサ４０、４２のグランド線５８は、グランドターミナル６０を介してグランドであるヨーク１２（図１参照）に接地されている。
【００４０】
ここで、グランドターミナル６０について説明すると、図９に示されるように、グランドターミナル６０は、プラス側ターミナル３６及びマイナス側ターミナル３８（図８参照）を形成する素材と同様の素材に曲げ加工等が施されることによって形成されている。このグランドターミナル６０は、矩形板状に形成されたベース板部６０Ａと、ベース板部６０Ａの端部からＵ字状に折り返されてベース板部６０Ａと略平行に延在する一対の係止片部６０Ｂと、を備えている。また、グランドターミナル６０は、ベース板部６０Ａの端部から当該ベース板部６０Ａの厚み方向一方側へ向けて屈曲して延びる一対の接地片部６０Ｃを備えている。そして、図８に示されるように、一方の３端子コンデンサ４０のグランド線５８は、グランドターミナル６０の一方の係止片部６０Ｂとベース板部６０Ａとの間に係止されている（挟み込まれている）。また、他方の３端子コンデンサ４２のグランド線５８は、グランドターミナル６０の他方の係止片部６０Ｂとベース板部６０Ａとの間に係止されている（挟み込まれている）。また、一対の３端子コンデンサ４０、４２の両グランド線５８が、グランドターミナル６０の係止片部６０Ｂとベース板部６０Ａとの間に係止された状態では、一対の接地片部６０Ｃの先端側がブラシホルダ３０の外周部に配置されている。そして、図１に示されるように、ブラシホルダ３０がヨーク１２に取付けられることで、一対の接地片部６０Ｃの先端側がブラシホルダ３０とヨーク１２との間に挟み込まれる。これにより、一対の３端子コンデンサ４０、４２のグランド線５８が、グランドターミナル６０を介してグランドであるヨーク１２に接地されている。
【００４１】
（本実施形態の作用並びに効果）
次に、本実施形態の作用並びに効果について説明する。
【００４２】
図１、図６及び図８に示されるように、本実施形態のモータ１０では、外部電源によってプラス側ターミナル３６とマイナス側ターミナル３８間に電圧が印加されると、電流がプラス側ターミナル３６から一方の３端子コンデンサ４０の第１導電部Ｄ１を介して一方のブラシ３２へ流れる。また、一方のブラシ３２から整流子２８を通じてモータ本体１８内を流れた電流は、整流子２８から他方のブラシ３４及び他方の３端子コンデンサ４２の第１導電部Ｄ１を介してマイナス側ターミナル３８へ流れる。これにより、モータ本体１８の回転子１６を回転させることができる。
【００４３】
ここで、本実施形態では、一対の３端子コンデンサ４０、４２の第１導電部Ｄ１を流れる電流のうち、第２導電部Ｄ２のチップコンデンサ５０の静電容量や抵抗及びインダクタンスの成分並びに第３導電部Ｄ３の第３インダクタンス部Ｌ３のインダクタンスの成分に対応する周波数の電流が、当該第２導電部Ｄ２及び第３導電部Ｄ３を通じてグランドであるヨーク１２に流れる。これにより、電気ノイズを低減することができる。また、本実施形態では、一対の３端子コンデンサ４０、４２が絶縁性の部材４４を介して一体に形成されていることにより、一方の３端子コンデンサ４０の他方の３端子コンデンサ４２に対する相対変位を確実に規制することができる。これにより、一対の３端子コンデンサ４０、４２によって安定した電気ノイズの低減効果を得ることができる。
【００４４】
さらに、本実施形態では、図４及び図５に示されるように、一方の３端子コンデンサ４０を構成する第１線材４６のコイル部５２と他方の３端子コンデンサ４２を構成する第１線材４６のコイル部５２とが、両コイル部５２の軸方向に向かい合って配置された状態で、絶縁性の部材４４を介して一体化されている。これにより、一方の３端子コンデンサ４０のコイル部５２から出た磁力線と他方の３端子コンデンサ４２のコイル部５２から出た磁力線とを干渉させることができる。これにより、一対の３端子コンデンサ４０、４２の第１導電部Ｄ１内の電気ノイズを低減することができる。なお、図１０〜図１２に示されるように、一方の３端子コンデンサ４０のコイル部５２の内部及び他方の３端子コンデンサ４２のコイル部５２の内部に芯部材６２を挿入した状態で、一対の３端子コンデンサ４０、４２を一体化させてもよい。当該構成によれば、一方の３端子コンデンサ４０のコイル部５２と他方の３端子コンデンサ４２のコイル部５２との同芯度を向上させることができる。すなわち、一方の３端子コンデンサ４０のコイル部５２の他方の３端子コンデンサ４２のコイル部５２に対する姿勢を安定させることができる。その結果、一対の３端子コンデンサ４０、４２の第１導電部Ｄ１内の電気ノイズを安定して低減することができる。なお、図１０及び図１１においては、チップコンデンサ５０及び第２線材４８の図示を省略している。
【００４５】
また、本実施形態では、図４及び図８に示されるように、一対の３端子コンデンサ４０、４２が絶縁性の部材４４を介して一体に形成されていることにより、一方の３端子コンデンサ４０の他方の３端子コンデンサ４２に対する相対変位が規制されている。これにより、一対の３端子コンデンサ４０、４２によって安定した電気ノイズの低減効果を得ることができる。
【００４６】
さらに、本実施形態では、ブラシホルダ３０の一方のブラシ格納部３０Ｂと他方のブラシ格納部３０Ｃとの間において、両者の周方向への間隔が狭い側に一対の３端子コンデンサ４０、４２が配置されている。これにより、電気ノイズの発生源となる一対のブラシ３２、３４と３端子コンデンサ４０、４２とをより近接して配置することができる。これにより、電気ノイズをより一層低減することができる。
【００４７】
また、本実施形態では、プラス側ターミナル３６及びマイナス側ターミナル３８が、ブラシホルダ３０の一方のブラシ格納部３０Ｂと他方のブラシ格納部３０Ｃとの間において、両者の周方向への間隔が広い側に配置されている。これにより、プラス側ターミナル３６において外部電源が接続される部分と一方の３端子コンデンサ４０に接続される部分との間の部位及びマイナス側ターミナル３８において外部電源が接続される部分と他方の３端子コンデンサ４２に接続される部分との間の部位の配索が、一対の３端子コンデンサ４０、４２によって制限される（制約される）ことを抑制することができる。
【００４８】
さらに、本実施形態では、一方の３端子コンデンサ４０の第３導電部Ｄ３であるグランド線５８及び他方の３端子コンデンサ４２の第３導電部Ｄ３であるグランド線５８が、互いに同じ位置であるグランドターミナル６０を介してヨーク１２に接地している。これにより、給電装置２０の回路内の電気ノイズの大部分を当該回路内で巡回させることができる。これにより、電気ノイズが給電装置２０の回路から放出されることを抑制することができる。また、一方の３端子コンデンサ４０のグランド線５８及び他方の３端子コンデンサ４２のグランド線５８がヨーク１２に接地される構成とすることにより、図６に示された第３導電部Ｄ３に対応する部分の長さが長くなることを抑制することができる。これにより、電気ノイズをより一層低減することができる。
【００４９】
なお、本実施形態では、一対の３端子コンデンサ４０、４２が絶縁性の部材４４を介して一体に形成されている例について説明したが、本発明はこれに限定されない。例えば、図１３及び図１４に示されたタイプの２つの３端子コンデンサ４０（３端子コンデンサ４２）を用いて図１５に示された給電装置６４を構成してもよい。なお、給電装置６４において前述の給電装置２０（図８参照）の各部材及び部分と対応する部材及び部分には、当該給電装置２０の各部材及び部分と同一の符号を付している。そして、この給電装置６４では、一対の３端子コンデンサ４０、４２が、ブラシホルダ３０のコンデンサ固定部３０Ｄにそれぞれ差し込まれている。これにより、一方の３端子コンデンサ４０の他方の３端子コンデンサ４２に対する相対変位が規制されている。
【００５０】
また、図１６及び図１７に示されるように、一対の３端子コンデンサ４０、４２の一部（絶縁性の部材４４）をグランドターミナル６０の一部に係止させることで、一方の３端子コンデンサ４０の他方の３端子コンデンサ４２に対する相対変位を規制してもよい。
【００５１】
以上、本発明の一実施形態について説明したが、本発明は、上記に限定されるものでなく、その主旨を逸脱しない範囲内において上記以外にも種々変形して実施することが可能であることは勿論である。
【符号の説明】
【００５２】
１０   モータ
１２   ヨーク
１８   モータ本体
２０   モータの給電装置
３２   ブラシ
３４   ブラシ
３６   プラス側ターミナル
３８   マイナス側ターミナル
４０   ３端子コンデンサ
４２   ３端子コンデンサ
５２   コイル部
６２   芯部材
Ｄ１   第１導電部
Ｄ２   第２導電部
Ｄ３   第３導電部
Ｌ１   第１インダクタンス部
Ｌ２   第２インダクタンス部
Ｌ３   第３インダクタンス部
【図１】
2018198474.tif 000003
【図２】
2018198474.tif 000004
【図３】
2018198474.tif 000005
【図４】
2018198474.tif 000006
【図５】
2018198474.tif 000007
【図６】
2018198474.tif 000008
【図７】
2018198474.tif 000009
【図８】
2018198474.tif 000010
【図９】
2018198474.tif 000011
【図１０】
2018198474.tif 000012
【図１１】
2018198474.tif 000013
【図１２】
2018198474.tif 000014
【図１３】
2018198474.tif 000015
【図１４】
2018198474.tif 000016
【図１５】
2018198474.tif 000017
【図１６】
2018198474.tif 000018
【図１７】
2018198474.tif 000019